(57)【要約】【課題】グリースを使用することなくチューブの端部へ継ぎ手を容易に挿入する継ぎ手挿入治具を提供することを課題とする。【解決手段】継ぎ手挿入治具１０は、ベース１１に支持されチューブ１２を保持するチューブ保持部１３と、このチューブ保持部１３に対向する位置にベース１１に設けられているブロック１４と、このブロック１４に継ぎ手１５の軸１６に沿って移動可能に支持されて継ぎ手１５を保持する継ぎ手保持部１７と、この継ぎ手保持部１７を移動させる移動機構２０とからなる。【効果】手でチューブを持つことなく、移動機構により継ぎ手保持部を移動させて継ぎ手をチューブへ挿入するので、未熟練工であっても工数を掛けずに継ぎ手を容易に挿入することができる。【選択図】図１
2010139054.tif 000002
【特許請求の範囲】
【請求項１】
チューブの端部へ継ぎ手を挿入する継ぎ手挿入治具であって、
この継ぎ手挿入治具は、ベースに支持され前記チューブを保持するチューブ保持部と、このチューブ保持部に対向する位置に前記ベースに設けられているブロックと、このブロックに継ぎ手の軸に沿って移動可能に支持されて前記継ぎ手を保持する継ぎ手保持部と、この継ぎ手保持部を移動させる移動機構とからなり、この移動機構により前記継ぎ手保持部を移動させて前記継ぎ手を前記チューブへ挿入することができることを特徴とする継ぎ手挿入治具。
【請求項２】
前記移動機構は、前記継ぎ手保持部に設けられたラックと、前記ブロックに回転可能に支持され前記ラックに噛み合うピニオンと、作業者が操作し前記ピニオンを回転させる揺動式レバーとからなることを特徴とする請求項１記載の継ぎ手挿入治具。
【請求項３】
前記継ぎ手保持部は、長尺の基部部材と、この基部部材の先端に着脱自在に設けられ前記継ぎ手を保持する継ぎ手支持片とからなることを特徴とする請求項１又は請求項２記載の継ぎ手挿入治具。
【請求項４】
前記継ぎ手支持片は、前記継ぎ手に挿入するピンを備えていることを特徴とする請求項３記載の継ぎ手挿入治具。
【請求項５】
前記チューブ保持部は、前記ベースに継ぎ手の軸に沿って移動可能に支持され、前記ベースと前記チューブ保持部の間には前記継ぎ手保持部で押されたチューブ保持部を支承して衝撃力を吸収する衝撃力吸収機構が設けられていることを特徴とする請求項１〜４のいずれか１項記載の継ぎ手挿入治具。
【請求項６】
前記ベースは継ぎ手の軸に沿って延びるレールを備え、このレールに前記チューブ保持部及び前記継ぎ手保持部が移動可能に且つ交換可能に取り付けられていることを特徴とする請求項１〜５のいずれか１項記載の継ぎ手挿入治具。
【発明の詳細な説明】
【技術分野】
【０００１】
本発明は、チューブに継ぎ手を挿入する継ぎ手挿入治具の改良に関するものである。
【背景技術】
【０００２】
例えば、車両の窓へウォシャー液を送る送液路は、可撓性のチューブで構成される。そして、チューブは分岐や延長を目的に適宜、継ぎ手で中継される（例えば、特許文献１参照。）。
【特許文献１】特許第３３０３７２５号公報（図４）
【０００３】
特許文献１を次図に基づいて説明する。
図１１は従来の技術の基本構成を説明する図であり、配管１００は、チューブ１０１、１０１と、これらのチューブ１０１、１０１を繋ぐ継ぎ手１０３とからなる。チューブ１０１、１０１の内径よりも、継ぎ手１０３の頭部１０４、１０４の外径の方が大きい。結果、継ぎ手１０３はチューブ１０１、１０１に締め付けられているので、チューブ１０１、１０１は継ぎ手１０３から抜けにくい。
【０００４】
以上のような配管１００では、チューブの端部へ継ぎ手を挿入する必要がある。この挿入方法の一例を次図で説明する。
図１２は従来のチューブの端部へ継ぎ手を挿入する方法を説明する図であり、先ず、継ぎ手保持治具１０５の穴部１０６に、継ぎ手１０３をセットする。一方、チューブ１０１は暖めて柔らかくする。そして、矢印（１）のように、作業者が手１０７でチューブ１０１を継ぎ手１０３に嵌める。
【０００５】
しかし、チューブ１０１の端部１０２へ継ぎ手１０３をしっかりと挿入するには、ある程度の力が必要であるため、未熟な作業者では工数が掛かる。
また、継ぎ手１０３の頭部１０４にグリースを塗布して、継ぎ手１０３の挿入を容易にする場合は、グリースがチューブ１０１内に浸入し、チューブ１０１内を通る液体の不純物となってしまう。
すなわち、グリースを用いないでチューブの端部へ継ぎ手を容易に挿入する技術が求められている。
【発明の開示】
【発明が解決しようとする課題】
【０００６】
本発明は、グリースを使用することなくチューブの端部へ継ぎ手を容易に挿入する継ぎ手挿入治具を提供することを課題とする。
【課題を解決するための手段】
【０００７】
請求項１に係る発明は、チューブの端部へ継ぎ手を挿入する継ぎ手挿入治具であって、この継ぎ手挿入治具は、ベースに支持され前記チューブを保持するチューブ保持部と、このチューブ保持部に対向する位置に前記ベースに設けられているブロックと、このブロックに継ぎ手の軸に沿って移動可能に支持されて前記継ぎ手を保持する継ぎ手保持部と、この継ぎ手保持部を移動させる移動機構とからなり、この移動機構により前記継ぎ手保持部を移動させて前記継ぎ手を前記チューブへ挿入することができることを特徴とする。
【０００８】
請求項２に係る発明は、移動機構は、継ぎ手保持部に設けられたラックと、ブロックに回転可能に支持されラックに噛み合うピニオンと、作業者が操作しピニオンを回転させる揺動式レバーとからなることを特徴とする。
【０００９】
請求項３に係る発明は、継ぎ手保持部は、長尺の基部部材と、この基部部材の先端に着脱自在に設けられ継ぎ手を保持する継ぎ手支持片とからなることを特徴とする。
【００１０】
請求項４に係る発明は、継ぎ手支持片は、継ぎ手に挿入するピンを備えていることを特徴とする。
【００１１】
請求項５に係る発明は、チューブ保持部は、ベースに継ぎ手の軸に沿って移動可能に支持され、ベースとチューブ保持部の間には継ぎ手保持部で押されたチューブ保持部を支承して衝撃力を吸収する衝撃力吸収機構が設けられていることを特徴とする。
【００１２】
請求項６に係る発明は、ベースは継ぎ手の軸に沿って延びるレールを備え、このレールにチューブ保持部及び継ぎ手保持部が移動可能に且つ交換可能に取り付けられていることを特徴とする。
【発明の効果】
【００１３】
請求項１に係る発明では、チューブを保持するチューブ保持部と、ブロックに継ぎ手の軸に沿って移動可能に支持されて継ぎ手を保持する継ぎ手保持部と、この継ぎ手保持部を移動させる移動機構とからなる。手でチューブを持つことなく、移動機構により継ぎ手保持部を移動させて継ぎ手をチューブへ挿入するので、未熟練工であっても工数を掛けずに継ぎ手を容易に挿入することができる。
加えて、チューブ及び継ぎ手を、手で保持する必要がないので、握力が弱い作業者であっても作業を行うことができる。また、片手による作業も可能となる。
さらに、グリースを塗布しないので、不純物を混入させることもない。
【００１４】
請求項２に係る発明では、移動機構は、継ぎ手保持部に設けられたラックと、このラックに噛み合うピニオンと、このピニオンを回転させる揺動式レバーとからなる。作業者は揺動式レバーを操作することで継ぎ手をチューブへ挿入することができる。ラックとピニオンと揺動式レバーとは、いずれも単純な部品であるから、移動機構を低コストで構成することができる。
【００１５】
請求項３に係る発明では、継ぎ手保持部は、基部部材の先端に着脱自在に設けられ継ぎ手を保持する継ぎ手支持片を備えている。継ぎ手支持片を交換することで、異なる大きさの継ぎ手に対応させることができる。
【００１６】
請求項４に係る発明では、継ぎ手の支持はピンで行う。継ぎ手の支持は、クランプで行うこともできるが、ピンであれば作業者は簡単に中空の継ぎ手を嵌めることができる。結果、作業能率の向上を図ることができる。
【００１７】
請求項５に係る発明では、チューブ保持部は移動可能とされ、ベースとチューブ保持部の間には衝撃力吸収機構が設けられている。
チューブに継ぎ手を挿入するに際して、高速で継ぎ手保持部を移動させると、チューブ保持部に衝撃が加わることがある。この場合であっても、本発明によれば、チューブ保持部を移動させ、衝撃力吸収機構で衝撃エネルギーを吸収し減衰させることができる。結果、継ぎ手保持部をより高速で動かすことができ、作業時間の短縮化を図ることができ、生産性を高めることができる。
【００１８】
請求項６に係る発明では、継ぎ手の軸に沿って延びるレールにチューブ保持部及び継ぎ手保持部が移動可能に且つ交換可能に取り付けられている。すなわち、レールに沿ってチューブ保持部及び継ぎ手保持部を自由に配置することができる。そのため、各種多様のチューブに継ぎ手を挿入することができ、作業性を高めることができる。
【発明を実施するための最良の形態】
【００１９】
本発明を実施するための最良の形態を添付図に基づいて以下に説明する。なお、図面は符号の向きに見るものとする。
図１は本発明に係る継ぎ手挿入治具の斜視図であり、継ぎ手挿入治具１０は、ベース１１に支持されチューブ１２を保持するチューブ保持部１３と、このチューブ保持部１３に対向する位置にベース１１に設けられているブロック１４と、このブロック１４に継ぎ手１５の軸１６に沿って移動可能に支持されて継ぎ手１５を保持する継ぎ手保持部１７と、この継ぎ手保持部１７を移動させる移動機構２０（詳細後述）とからなる。この移動機構２０により継ぎ手保持部１７を移動させて継ぎ手１５をチューブ１２へ挿入することができる。
【００２０】
ベース１１とチューブ保持部１３の詳細を次に説明する。
ベース１１は、継ぎ手１５の軸１６に沿って延びるレール２１を備える。そして、このレール２１にチューブ保持部１３及びブロック１４が移動可能且つ交換可能に取り付けられている。
ただし、この例ではチューブ保持部１３は、固定ピン２２、２２により、位置が固定されている。また、ブロック１４は、ロックレバー２３を備えている。このロックレバー２３により、ブロック１４をレール２１上の任意の位置に固定することができる。
【００２１】
チューブ保持部１３は、ブロック状の台部材２４と、この台部材２４にボルト２５を介して固定されチューブ１２を受ける下型部２６と、台部材２４にヒンジ２７を介して揺動自在に設けられている押さえ板２８と、この押さえ板２８にボルト３１を介して固定され下型部２６と共にチューブ１２を押さえる上型部３２と、押さえ板２８に設けられ手で操作することで押さえ板２８を開閉する開閉バー３３と、押さえ板２８に設けられ台部材２４に引っ掛かるフック３４と、台部材２４に設けられフック３４を受けるフック受け部３５とからなる。
【００２２】
下型部２６及び上型部３２には、チューブ１２に対応する半円溝部３６、３６が備えられている。押さえ板２８を閉じることで、チューブ１２は下型部２６と上型部３２挟まれ固定される。
半円溝部３６、３６は、継ぎ手１５が挿入される側に、チューブ１２の外径より大きい径の大径部３７、３７を備えている。これにより、継ぎ手１５をチューブ１２に円滑に挿入することができる。
【００２３】
フック３４は、開閉バー３３を操作することで容易にフック受け部３５に引っ掛けることができる。押さえ板２８を閉じて開閉バー３３から手を離した場合であっても、継ぎ手１５の挿入時に、チューブ１２が外れることはない。これにより、片手でも継ぎ手１５の挿入作業をすることができる。
【００２４】
下型部２６及び上型部３２は、ボルト２５、３１を外すことで容易に交換可能である。下型部２６及び上型部３２に交換することで、異なる外径のチューブ１２に対応することもできる。
なお、下型部２６及び上型部３２の材料は、樹脂が好適であるが、これに限定されず、ゴム、金属等、チューブ１２の材質に応じて変更しても差し支えない。
【００２５】
継ぎ手保持部１７を移動させる移動機構２０の構成を次図で説明する。
図２は図１の２−２線断面図であり、移動機構２０は、ベース１１に立てた側板４１、４１に水平移動可能に支持されている継ぎ手支持片４２の下面に一体形成されたラック４３と、側板４４に回転可能に支持されラック４３に噛み合うピニオン４５とこのピニオン４５の軸穴４６に嵌め込まれている軸部材４７と、この軸部材４７に連結され作業者が操作しピニオン４５を回転させる揺動式レバー４８とからなる。ピニオン４５及び軸部材４７には、キー溝５１、５１が備えられている。ピニオン４５は、キー溝５１、５１嵌め込まれたカギ部材５２を介して軸部材４７に止められている。
【００２６】
ブロック部材１４は、ベース１１に立てられラック４３を支持する側板４１、４１と、ベース１１に立てられピニオン４５を支持する側板４４と、これらの側板４１、４１、４４の上方に設けられている天板５３とからなる。
【００２７】
継ぎ手保持部１７は、図左右に移動可能に設けられている長尺の基部部材５４と、この基部部材５４の先端に係止ピン５５を介して設けられている支持片受け部５６と、この支持片受け部５６に設けられ継ぎ手１５を保持する継ぎ手支持片４２と、基部部材５４の後端にねじ５７を介して固定され基部部材５４の前進を制限する前進ストッパ５８とからなる。支持片受け部５６は、基部部材５４の後進を制限する後進ストッパ部６１を備えている。
【００２８】
なお、基部部材５４の下面にラック４３が設けられている。基部部材５４の上面は、天板５３に摺動自在に接している。結果、継ぎ手保持部１７はガタつくことなく安定して図左右に移動することができる。
【００２９】
図３は継ぎ手保持部の要部を説明する図であり、（ａ）に示すように、継ぎ手支持片４２は、継ぎ手（図１、符号１５）に挿入するピン６２を備えている。継ぎ手支持片４２は、支持片受け部５６に脱着自在に設けられている。これにより、異なるサイズのピン６２を備えている継ぎ手保持片４２に交換できるので、異なるサイズの継ぎ手（図１、符号１５）も保持することができる。
【００３０】
（ｂ）は（ａ）の矢視図であり、継ぎ手支持片４２は、支持片受け部５６に載せる座面６３と、継ぎ手支持片４２を支持片受け部５６に連結する連結ピン６４を備えている。継ぎ手支持片４２を、矢印（２）のように移動させ、連結ピン６４を支持片受け部５６のピン穴６５に入れることで、継ぎ手支持片４２を支持片受け部５６に取り外し可能に取り付けることができる。
【００３１】
以上に述べた継ぎ手挿入治具の作用を次に述べる。
図４は継ぎ手を挿入する工程までを説明する図である。
（ａ）は継ぎ手１５及びチューブ１２をセットする工程を説明する図であり、継ぎ手１５を継ぎ手保持部１７のピン（図１、符号６２）に挿入する。チューブ１２をチューブ保持部１３にセットする。矢印（３）のように、開閉バー３３を移動させ、チューブ１２を挟む。
【００３２】
（ｂ）は継ぎ手を挿入する工程を説明する図であり、矢印（４）のように、揺動式レバー４８を移動させる。すると、矢印（５）のように、継ぎ手１５が前進してチューブ１２に挿入される。
【００３３】
図５は継ぎ手が挿入されたチューブを取り外す工程までを説明する図である。
（ａ）は継ぎ手からピンを抜く工程を説明する図であり、矢印（６）のように、揺動式レバー４８を移動させる。すると、矢印（７）のように、継ぎ手保持部１７が後退し、継ぎ手１５からピン６２が抜かれる。矢印（８）のように、開閉バー３３を移動させて、押さえ板２８を開ける。
（ｂ）に示すように、チューブ１２を、矢印（９）の向きに取り出すことで、継ぎ手１５が挿入されたチューブ１２を得る。
【００３４】
図６は継ぎ手が挿入されたチューブを説明する図であり、チューブ１２の内径ｄよりもチューブ１２の頭部６６の外径Ｄの方が大きい。このため、継ぎ手１５はチューブ１２に締め付けられ、簡単に抜けることはない。頭部６６は、テーパ６７を備えているので、継ぎ手１５をチューブ１２に円滑に挿入することができる。継ぎ手１５は、突き当て部６８を備えているので、適切な長さだけ継ぎ手を挿入することができる。
【００３５】
次に本発明の別実施例を説明する。
図７は本発明の別実施例の要部を説明する図であり、図１と同様の部材で構成されている部分は、符号を流用して詳細な説明は省略する。
別実施例の継ぎ手挿入治具１０は、ベース１１の一端に、上方に立ち上げられた立ち壁部６９が設けられている。
【００３６】
チューブ保持部１３は、ベース１１に継ぎ手（図１、符号１２）の軸１６に沿って移動可能に支持されている。ベース１１の立ち壁部６９には継ぎ手保持部（図１、符号１７）で押されたチューブ保持部１３を支承して衝撃力を吸収する衝撃力吸収機構７０が設けられている。
【００３７】
衝撃力吸収機構７０は、ベース１１の立ち壁部６９に設けられ内部にオイル７１を貯留するシリンダ７２と、シリンダ７２内部に摺動自在に設けられオイル７１の抵抗を受けるピストン７３、シリンダ７２内部に設けられピストン７３を押し戻す方向に付勢する圧縮ばね７４と、ピストン７３に接続されシリンダ外部に突き抜けている軸７５と、この軸７５に接続されチューブ保持部１３を支持する支持部７６とからなる。ピストン７３には、オイルが流れるオイル孔７７が設けられている。
なお、衝撃力吸収機構７０は、チューブ保持部１３側に設けてもよい。
【００３８】
次に衝撃力吸収機構７０の作用を説明する。
チューブ１２に継ぎ手（図１、符号１５）を挿入するに際して、高速で継ぎ手保持部（図１、符号１７）を移動させると、チューブ１２に衝撃力が加わることがある。この衝撃力によりチューブ保持部１３が移動される。チューブ保持部１３を支持部７６で受ける。支持部７６は軸７５を介してピストン７３を押す。圧縮ばね７４側のオイル７１は、ピストン７３により圧力を受けてオイル孔７７を通り、ピストン７３の反対側へ流れる。結果、衝撃吸収機構７０で衝撃エネルギーを吸収して減衰させる。
圧縮された圧縮ばね７４は、ピストン７３を押し戻すことで、支持部７６は元の位置に戻る。ベース１１には、ストッパ７８が備えられているので、チューブ保持部１３は元の位置に止められる。
【００３９】
なお、衝撃力吸収機構７０は、上述の構成に限定されず、単なる圧縮ばね、スポンジゴムなど、チューブ保持部への衝撃力を吸収できれば、他の構成であっても差し支えない。
【００４０】
次に本発明の更なる別実施例を説明する。
図８は更なる別実施例に使用されるチューブ及び継ぎ手を説明する図であり、（ａ）に示すように、部品付きチューブ８１は、チューブ１２と、このチューブ１２の一端に継ぎ手８２を介して組み付けられている長部品８３とからなる。
また、（ｂ）に示すように、部品付き継ぎ手８４は、継ぎ手１５と、この継ぎ手の一端に組み付けられている円盤部８５付きの曲がりチューブ８６とからなる。
【００４１】
図９は本発明の更なる別実施例の平面図であり、図１と同様の部材で構成されている部分は、符号を流用して詳細な説明は省略する。
ベース１１は継ぎ手（図８、符号８４）の軸に沿って延びるレール２１を備え、このレール２１にチューブ保持部１３、８７、継ぎ手保持部８８及び押し当て部９３が移動可能に且つ交換可能に取り付けられている。
【００４２】
チューブ保持部８７は、図８（ａ）に示した部品付きチューブ８１に対応するチューブ溝部９１を備えている。
継ぎ手保持部８８は、図８（ｂ）に示した部品付き継ぎ手８４に対応する継ぎ手溝部９２を備えている。押し当て部９３は、支持片受け部５６のピン穴（図３、符号６６）に入れられ押し当て部９３を移動機構２０に連結する連結ピン９４と、継ぎ手保持部８８を押す押し壁９５を備えている。
【００４３】
次に更なる別実施例の作用を説明する。
チューブ保持部８７に部品付きチューブ（図８、符号８１）をセットする。継ぎ手保持部８８に部品付き継ぎ手８４をセットする。揺動式レバー４１を操作し、継ぎ手保持部８８を前進させて部品付き継ぎ手８４を挿入する。
【００４４】
図１０は部品付き継ぎ手が挿入される状態を説明する図であり、（ａ）に示すように、部品付き継ぎ手８４が、矢印（１０）の向きに前進される。（ｂ）に示すように、継ぎ手１５がチューブ１２に挿入される。
【００４５】
尚、本発明に係る継ぎ手挿入治具は、実施の形態では車両の窓にウォシャー液を供給するチューブに適用したが、空気を導く管などにも適用可能であり、一般の産業機械に使用される管に適用することは差し支えない。
【産業上の利用可能性】
【００４６】
本発明の継ぎ手挿入治具は、チューブへの継ぎ手挿入に好適である。
【図面の簡単な説明】
【００４７】
【図１】本発明に係る継ぎ手挿入治具の斜視図である。
【図２】図１の２−２線断面図である。
【図３】継ぎ手保持部の要部を説明する図である。
【図４】継ぎ手を挿入する工程までを説明する図である。
【図５】継ぎ手が挿入されたチューブを取り外す工程までを説明する図である。
【図６】継ぎ手が挿入されたチューブを説明する図である。
【図７】本発明の別実施例の要部を説明する図である。
【図８】更なる別実施例に使用されるチューブ及び継ぎ手を説明する図である。
【図９】本発明の更なる別実施例の平面図である。
【図１０】部品付き継ぎ手が挿入される状態を説明する図である。
【図１１】従来の技術の基本構成を説明する図である。
【図１２】従来のチューブの端部へ継ぎ手を挿入する方法を説明する図である。
【符号の説明】
【００４８】
１０…継ぎ手挿入治具、１１…ベース、１２…チューブ、１３…チューブ保持部、１４…ブロック、１５…継ぎ手、１６…継ぎ手保持部、２０…移動機構、２１…レール、４２…継ぎ手支持片、４３…ラック、４５…ピニオン、４８…揺動式レバー、５４…基部部材、６２…ピン、７０…衝撃力吸収機構、８７…チューブ保持部、８８…継ぎ手保持部。
【図１】
2010139054.tif 000003
【図２】
2010139054.tif 000004
【図３】
2010139054.tif 000005
【図４】
2010139054.tif 000006
【図５】
2010139054.tif 000007
【図６】
2010139054.tif 000008
【図７】
2010139054.tif 000009
【図８】
2010139054.tif 000010
【図９】
2010139054.tif 000011
【図１０】
2010139054.tif 000012
【図１１】
2010139054.tif 000013
【図１２】
2010139054.tif 000014